(57)【要約】【課題】本発明の目的は、押しボタン回りの防滴性の向上を図った電子機器を得ることにある。【解決手段】電子機器１は、開口部１３を有する筐体６と、筐体６内に実装される複数のスイッチ３４ａ，３４ｂと、開口部１３に互いに並べて配置され、それぞれスイッチ３４ａ，３４ｂと対向して支持された複数のボタン２１ａ，２１ｂと、ボタン２１ａとボタン２１ｂとの間に形成される隙間ｇの下方において上記隙間ｇと対向して配置された吸液部材４１とを具備する。【選択図】      図７
2007280886.tif 000002
【特許請求の範囲】
【請求項１】
開口部を有する筐体と、
上記筐体内に実装される複数のスイッチと、
上記開口部に互いに並べて配置され、それぞれ上記スイッチと対向して支持された複数のボタンと、
上記複数のボタンとボタンとの間に形成される隙間の下方において上記隙間と対向して配置された吸液部材と、
を具備することを特徴とする電子機器。
【請求項２】
請求項１に記載の電子機器において、
上記筐体に収容されるとともに、上記複数のスイッチが実装される回路基板を備え、
上記吸液部材は、その一部が上記ボタンと上記回路基板との間に介在されるとともに、上記ボタンの変位に伴なって上記ボタンと上記回路基板との間で伸縮可能であることを特徴とする電子機器。
【請求項３】
請求項２に記載の電子機器において、
上記吸液部材は、その一部が上記ボタンと上記回路基板との間に介在され、上記ボタンと上記回路基板との間の隙間を上記複数のボタンとボタンとの間の隙間から液密に塞ぐことを特徴とする電子機器。
【請求項４】
請求項３に記載の電子機器において、
上記吸液部材は、弾性体で形成され、上記ボタンが押された時、上記ボタンに対して反発力を付与することを特徴とする電子機器。
【請求項５】
請求項４に記載の電子機器において、
上記吸液部材に対応する端部とは反対の上記ボタンの端部の下方には、上記ボタンと上記回路基板との間に介在される他の吸液部材が設けられることを特徴とする電子機器。
【請求項６】
請求項５に記載の電子機器において、
上記他の吸液部材は、上記吸液部材と同じ材料で形成され、上記ボタンが押された時、上記ボタンに対して反発力を付与することを特徴とする電子機器。
【請求項７】
請求項６に記載の電子機器において、
上記ボタンは、その縁部から上記筐体の内壁に沿って延び、上記ボタンと上記開口部の開口縁との間の隙間を塞ぐ突出部を備えることを特徴とする電子機器。
【請求項８】
開口部を有する筐体と、
上記筐体内に実装されるスイッチと、
上記開口部に配置され、上記スイッチと対向して支持されたボタンと、
上記ボタンと上記開口部の開口縁との間に形成される隙間の下方において上記隙間と対向して配置された吸液部材と、
を具備することを特徴とする電子機器。
【請求項９】
請求項８に記載の電子機器において、
上記筐体に収容されるとともに、上記スイッチが実装される回路基板を備え、
上記吸液部材は、その一部が上記ボタンと上記回路基板との間に介在されるとともに、上記ボタンの変位に伴なって上記ボタンと上記回路基板との間で伸縮可能であることを特徴とする電子機器。
【請求項１０】
請求項９に記載の電子機器において、
上記吸液部材は、その一部が上記ボタンと上記回路基板との間に介在され、上記ボタンと上記回路基板との間の隙間を上記ボタンと上記開口縁との間の隙間から液密に塞ぐことを特徴とする電子機器。
【発明の詳細な説明】
【技術分野】
【０００１】
本発明は、押しボタンを有する電子機器に係り、特に押しボタン回りの防滴構造に関する。
【背景技術】
【０００２】
例えばポータブルコンピュータのような電子機器は、電源スイッチボタンやタッチパッドのスイッチボタンのような押しボタンを有している。押しボタンは、筐体の開口部に配置され、手の指先などで押せるようになっている。
【０００３】
例えば、押しボタンを備える電子機器が提供されている（例えば、特許文献１参照）。特許文献１に記載の電子機器は、筐体内に実装されたクリックスイッチと、筐体の上壁に取り付けられたフレームとを備える。このフレームには弾性を有するアームが設けられている。スイッチボタンは、このアームにより変位自在に支持され、クリックスイッチとの間に隙間を空ける待機位置とクリックスイッチに接触する操作位置との間で変位可能である。ユーザーは、スイッチボタンを押すことで、間接的にクリックスイッチを操作する。
【特許文献１】特開２００４−２５９５３７号公報
【発明の開示】
【発明が解決しようとする課題】
【０００４】
例えば特許文献１に記載の電子機器のフレームは、筐体内に開口する貫通孔を備える。アームおよびスイッチボタンのベースは、この貫通孔内に配置される。上記ベースは、この貫通孔に沿って上下に変位することで、筐体内に実装されるクリックスイッチを操作する。
【０００５】
例えば誤ってコーヒーや飲料水のような液体を電子機器の上にこぼしてしまった場合、
この液体は上記貫通孔を通じて筐体内に浸入するおそれがある。
【０００６】
本発明の目的は、押しボタン回りの防滴性の向上を図った電子機器を得ることにある。
【課題を解決するための手段】
【０００７】
上記目的を達成するために、本発明の一つの形態に係る電子機器は、開口部を有する筐体と、上記筐体内に実装される複数のスイッチと、上記開口部に互いに並べて配置され、それぞれ上記スイッチと対向して支持された複数のボタンと、上記複数のボタンとボタンとの間に形成される隙間の下方において上記隙間と対向して配置された吸液部材とを具備する。
【発明の効果】
【０００８】
この構成によれば、液体が押しボタン回りから筐体内に浸入することが防がれ、押しボタン回りの防滴性が向上する。
【発明を実施するための最良の形態】
【０００９】
以下に本発明の実施の形態を、ポータブルコンピュータに適用した図面に基づいて説明する。
【００１０】
図１ないし図７は、本発明の第１の実施形態に係る電子機器としてのポータブルコンピュータ１を開示している。図１に示すように、ポータブルコンピュータ１は、本体２と表示ユニット３とを備えている。
【００１１】
本体２は、筐体カバー４と筐体ベース５とを備える。筐体カバー４が筐体ベース５に対して上方から組み合わされると、両者は協働して筐体６を形成する。筐体６は、上壁６ａ、側壁６ｂ、および図示しない下壁を備える箱状に形成されている。上壁６ａは、キーボード７を支持する。本体２は、その後端部に設けられたヒンジ装置を介して表示ユニット３を支持している。
【００１２】
表示ユニット３は、ディスプレイハウジング８と、このディスプレイハウジング８に収容された液晶表示パネル９とを備える。液晶表示パネル９は、表示画面９ａを有する。表示画面９ａは、ディスプレイハウジング８の前面の開口部８ａを通じてディスプレイハウジング８の外部に露出している。表示ユニット３は、上記ヒンジ装置により、上壁６ａを覆うように倒される閉じ位置と、上壁６ａを露出させるように起立する開き位置との間で回動可能である。
【００１３】
図２に示すように、筐体６の上壁６ａには、キーボード載置部１１、第１の開口部１２、および第２の開口部１３が設けられている。キーボード載置部１１は、上壁６ａ中央のやや後端部寄りに設けられている。キーボード載置部１１にはキーボード７が載置される。
【００１４】
第１の開口部１２は、キーボード載置部１１より手前（すなわちユーザー側）に設けられている。第２の開口部１３は、第１の開口部１２よりさらに手前に設けられている。第１および第２の開口部１２，１３は、それぞれ上壁６ａを貫通し、筐体６内に開口している。
【００１５】
本体２は、一対の左右押しボタン２１ａ，２１ｂを備える。図３を参照して押しボタン２１ａ，２１ｂを詳しく説明する。押しボタン２１ａ，２１ｂは、それぞれボタン本体２２とアーム部２３とを有する。ボタン本体２２とアーム部２３は、例えば樹脂材料で一体に形成され、弾性を有する。
【００１６】
ボタン本体２２は、上壁２２ａと、上壁２２ａの周縁から下方を向いて延びる側壁２２ｂとを有する。すなわち、ボタン本体２２は、裏側に窪みを有する凹状に形成されている。側壁２２ｂは、押しボタン２１ａ，２１ｂの縁部の一例である。図７に示すように、押しボタン２１ａ，２１ｂのボタン本体２２は、第２の開口部１３の内周面に沿って、第２の開口部１３に配置される。
【００１７】
図６および図７に示すように、ボタン本体２２の上壁２２ａは、第２の開口部１３を通じて筐体６の外部に露出されている。左押しボタン２１ａと、右押しボタン２１ｂとは、第２開口部１３内で互いに並んで配置される。
【００１８】
図４および図７に示すように、ボタン本体２２の上壁２２ａの内面には、押圧突起２２ｃが設けられている。押圧突起２２ｃは、十字形を形成されるとともに、筐体６の内部を向いて突出している。
【００１９】
図４に示すように、左押しボタン２１ａの側壁２２ｂのなかで前側壁、左側壁、後側壁の下端には、それぞれ突出部２４が設けられている。換言すれば、突出部２４は、左押しボタン２１ａの周端部のなかで右押しボタン２１ｂと隣り合う右端部２１ａａを外れた端部に設けられている。同様に、右押しボタン２１ｂの側壁のなかで前側壁、右側壁、後側壁の下端には、それぞれ突出部２４が設けられている。すなわち突出部２４は、右押しボタン２１ｂの周端部のなかで左押しボタン２１ａと隣り合う左端部２１ｂａを外れた端部に設けられている。
【００２０】
図７に示すように、突出部２４は、筐体上壁６ａの内壁６ａａに沿って、左右押しボタン２１ａ，２１ｂの外側を向いて延びている。突出部２４は、筐体６の内壁６ａａとオーバーラップしている。これにより、突出部２４と筐体６の内壁６ａａとの間は閉じられている。すなわち、押しボタン２１ａ，２１ｂと開口部１３の開口縁１３ａとの間の隙間は液密に塞がれている。
【００２１】
一方、左右押しボタン２１ａ，２１ｂを互いに近接して配置するとともに両者がそれぞれ独立して上下動作できるように、左右押しボタン２１ａ，２１ｂの互いに隣り合う端部２１ａａ，２１ｂａには突出部２４が設けられていない。すなわち、左押しボタン２１ａと右押しボタン２１ｂとの間には、隙間ｇが形成されることになる。
【００２２】
図３に示すように、アーム部２３は、左右押しボタン２１ａ，２１ｂにそれぞれ２つずつ設けられている。アーム部２３は、突出部２４の前端から押しボタン２１ａ，２１ｂのさらに外側を向いて延びている。アーム部２３は、その先端部がＬ字状若しくはＴ字状に折れ曲がり、複数のアーム部２３同士が連結されている。さらに左押しボタン２１ａのアーム部２３と右押しボタン２１ｂのアーム部２３とが連結されている。
【００２３】
折れ曲がったアーム部２３の途中には、貫通孔２６が設けられている。一方、図４に示すように、筐体６の内壁６ａａには、貫通孔２６に対応して支持突起２７が設けられている。押しボタン２１ａ，２１ｂは、この支持突起２７に貫通孔２６を挿入することで取り付けられる。押しボタン２１ａ，２１ｂは、アーム部２３を支持突起２７に溶着することで、筐体６に支持される。
【００２４】
筐体６は、さらにタッチパッドユニット３１を収容する。図５に示すように、タッチパッドユニット３１は、回路基板３２、タッチパッド本体３３、一対の左右クリックスイッチ３４ａ，３４ｂを有する。タッチパッド本体３３は、ポインティングデバイスの一例である。図２に示すように、タッチパッド本体３３は、枠状に形成された両面テープ３５により第１の開口部１２の周縁部に取り付けられる。両面テープ３５は、タッチパッド本体３３の全周の縁部と筐体６の内壁６ａａとの間を液密にシールする。
【００２５】
左右クリックスイッチ３４ａ，３４ｂは、回路基板３２に実装されている。図７に示すように、回路基板３２は、例えばねじ３６により筐体内壁６ａａに設けられたボス３７にねじ止めされている。左クリックスイッチ３４ａは、左押しボタン２１ａの押圧突起２２ｃの下方に対応して配置される。右クリックスイッチ３４ｂは、右押しボタン２１ｂの押圧突起２２ｃの下方に対応して配置される。
【００２６】
換言すれば、左押しボタン２１ａは、筐体６に支持され、左クリックスイッチ３４ａと対向している。右押しボタン２１ｂは、同様に筐体６に支持され、右クリックスイッチ３４ｂと対向している。押しボタン２１ａ，２１ｂは、弾性を有するアーム部２３を介して支持され、それぞれクリックスイッチ３４ａ，３４ｂを向いて変位可能である。
【００２７】
具体的には、押しボタン２１ａ，２１ｂは、押圧突起２２ｃがクリックスイッチ３４ａ，３４ｂとの間に隙間を空ける待機位置と、押圧突起２２ｃがクリックスイッチ３４ａ，３４ｂに接触する操作位置との間で上下に変位可能である。押しボタン２１ａ，２１ｂは、クリックスイッチ３４ａ，３４ｂに接触することで、クリックスイッチ３４ａ，３４ｂを操作する。すなわちユーザーは、押しボタン２１ａ，２１ｂを押すことで、間接的にクリックスイッチ３４ａ，３４ｂを操作可能である。  
図５に示すように、回路基板３２の上面３２ａにおいて左右クリックスイッチ３４ａ，３４ｂの間には、吸液部材４１が設けられる。吸液部材４１の一例は、例えば直方体状に形成されたスポンジゴムである。吸液部材４１の一例は、弾性を有する。ただし、吸液部材４１の材質はこれに限らない。吸液部材４１は、例えば不織布であっても良く、液体を吸収できる部材であれば良く、種々の材料を適宜選択することができる。吸液部材４１は、必ずしも弾性体である必要はない。吸液部材４１は、回路基板３２の上面３２ａに例えば両面テープ４２により固定されている。
【００２８】
吸液部材４１は、回路基板３２に取り付けられ、隙間ｇの下方において隙間ｇに対向して配置されている。図６に示すように、吸液部材４１の縦幅の一例は、押しボタン２１ａ，２１ｂの縦幅（すなわち奥行方向の幅）より大きく形成されている。また図６および図７に示すように、吸液部材４１の横幅の一例は、隙間ｇより大きく形成されている。吸液部材４１は、隙間ｇの下方に配置され、例えば隙間ｇの下方の全体を覆っている。
【００２９】
吸液部材４１の左端部は、左押しボタン２１ａの下面２１ｕと回路基板３２の上面３２ａとの間に介在されている。吸液部材４１の右端部は、右押しボタン２１ｂの下面２１ｕと回路基板３２の上面３２ａとの間に介在されている。すなわち、吸液部材４１は、左押しボタン２１ａの下方から右押しボタン２１ｂの下方に跨って設けられている。
【００３０】
吸液部材４１は、押しボタン２１ａ，２１ｂが押された時、その変位に伴なって押しボタン２１ａ，２１ｂと回路基板３２との間で伸縮される。さらに本実施形態では吸液部材４１は弾性体であり、押しボタン２１ａ，２１ｂが押された時、押しボタン２１ａ，２１ｂに対して反発力（すなわち押しボタン２１ａ，２１ｂを待機位置に戻そうとする復元力）を付与する。
【００３１】
さらに吸液部材４１は、押しボタン２１ａ，２１ｂの下面２１ｕと回路基板３２の上面３２ａとの間の隙間を押しボタン２１ａ，２１ｂの間の隙間ｇから液密に塞ぐ。吸液部材４１の上面は、押しボタン２１ａ，２１ｂの下面２１ｕに常に接触を保ち、押しボタン２１ａ，２１ｂが待機位置にある時も操作位置にある時も含めて常に押しボタン２１ａ，２１ｂと回路基板３２との間の隙間をシールする。
【００３２】
次に、ポータブルコンピュータ１の作用について説明する。  
例えば誤ってコーヒーや飲料水のような液体をポータブルコンピュータ１の上にこぼしてしまった場合、この液体は筐体上壁６ａの第１または第２の開口部１２，１３を通じて筐体６内に浸入しようとする。しかし、第１の開口部１２の周縁においては、タッチパッド本体３３と筐体内壁６ａａとの間が両面テープ３５により液密にシールされている。したがって、上記液体が第１の開口部１２を通じて筐体６内に浸入するおそれは無い。
【００３３】
第２の開口部１３の周縁においては、まず第２の開口部１３の開口縁１３ａと押しボタン２１ａ，２１ｂとの間の隙間は、突出部２４により塞がれている。したがって第２の開口部１３の開口縁１３ａと押しボタン２１ａ，２１ｂとの間の隙間から上記液体が筐体６内に浸入することが防がれる。
【００３４】
さらに左右の押しボタン２１ａ，２１ｂの間に形成される隙間ｇのすぐ下方には、吸液部材４１が設けられている。したがって、この隙間ｇから筐体６内に浸入しようとする液体は、隙間ｇを通過した直後にこの吸液部材４１に吸収される。これにより、この隙間ｇを通じて液体が筐体６内に浸入することが防がれる。
【００３５】
このような構成のポータブルコンピュータ１によれば、液体が押しボタン２１ａ，２１ｂ回りから筐体６内に浸入することが防がれ、押しボタン２１ａ，２１ｂ回りの防滴性が向上する。すなわち上述したように、隙間ｇから筐体６内に浸入しようとする液体は、隙間ｇを通過した直後に吸液部材４１に吸収される。これにより、液体がクリックスイッチ３４ａ，３４ｂや回路基板３２に付着することが防止される。
【００３６】
さらに、吸液部材４１として押しボタン２１ａ，２１ｂの変位に伴なって伸縮自在な部材を用いると、可動する押しボタン２１ａ，２１ｂに対して、押しボタン２１ａ，２１ｂと回路基板３２との間の隙間を常に塞ぐことができる。
【００３７】
吸液部材４１が押しボタン２１ａ，２１ｂと回路基板３２との間の隙間を左右押しボタン２１ａ，２１ｂの間の隙間ｇから液密に塞いでいると、隙間ｇから侵入しようとする液体が回路基板３２に実装されたクリックスイッチ３４ａ，３４ｂに付着するおそれがさらに低くなる。
【００３８】
吸液部材４１が押しボタン２１ａ，２１ｂに反発力を与えると、押しボタン２１ａ，２１ｂの待機位置への復元力が向上し、押しボタン２１ａ，２１ｂの操作感が向上する。例えば、吸液部材４１は、片持ち梁タイプの押しボタン２１ａ，２１ｂを、アーム２３とは異なる方向から支持する。これにより、押しボタン２１ａ、２１ｂの押された時の安定感が増す。例えば、吸液部材４１の厚さまたは材質を適宜選択することで、押しボタン２１ａ，２１ｂの操作感（例えばクリック感）を容易に調整することができる。
【００３９】
本実施形態に係る防滴構造は、回路基板３２に吸液部材４１を取り付けることで構成される。すなわち、意図した寸法・材質の吸液部材４１を回路基板３２に貼り付けるという簡単な作業で、防水効果を得ることができる。
【００４０】
次に、本発明の第２の実施形態に係る電子機器としてのポータブルコンピュータ５１を、図８ないし図１０を参照して説明する。なお第１の実施形態に係るポータブルコンピュータ１と同じ機能を有する構成は、同一の符号を付してその説明を省略する。ポータブルコンピュータ５１は、第１の実施形態に係るポータブルコンピュータ１の構成要素に加えて、第２の吸液部材５２を備える。
【００４１】
ポータブルコンピュータ５１は、押しボタン２１ａ，２１ｂ，タッチパッドユニット３１、吸液部材４１（以下、区別のため第１の吸液部材４１）、および二つの第２の吸液部材５２，５２を備える。
【００４２】
図８に示すように、一対の第２の吸液部材５２，５２は、それぞれ左押しボタン２１ａの左端部の下面２１ｕ、または右押しボタン２１ｂの右端部の下面２１ｕに例えば両面テープで取り付けられる。すなわち第２の吸液部材５２は、押しボタン２１ａ，２１ｂのなかで第１の吸液部材４１に対応する端部（すなわち左押しボタン２１ａの右端部２１ａａ、右押しボタン２１ｂの左端部２１ｂａ）とは反対の端部の下方に設けられる。換言すれば、押しボタン２１ａ，２１ｂは、一つの端部が第１の吸液部材４１に支持され、他方の端部が第２の吸液部材５２に支持されている。
【００４３】
図９および図１０に示すように、第２の吸液部材５２は、押しボタン２１ａ，２１ｂの下面２１ｕと回路基板３２の上面３２ａとの間に介在される。第２の吸液部材５２は、押しボタン２１ａ，２１ｂの下面２１ｕと回路基板３２の上面３２ａとの間の隙間を開口縁１３ａと押しボタン２１ａ，２１ｂとの間の隙間から液密に塞ぐ。
【００４４】
第２の吸液部材５２は、例えば第１の吸液部材４１と同じ材料で形成される。第２の吸液部材５２は、押しボタン２１ａ，２１ｂが押された時、押しボタン２１ａ，２１ｂに対して第１の吸液部材４１と略同じ大きさの反発力を付与する。
【００４５】
このような構成のポータブルコンピュータ５１によれば、液体が押しボタン２１ａ，２１ｂ回りから筐体６内に浸入することが防がれ、押しボタン２１ａ，２１ｂ回りの防滴性が向上する。すなわち第１の実施形態と同様の理由で、隙間ｇから筐体６内に浸入しようとする液体は、第１の吸液部材４１に吸収される。
【００４６】
押しボタン２１ａ，２１ｂの左右両端部にそれぞれ第１または第２の吸液部材４１，５２が配置されていると、押しボタン２１ａ，２１ｂの操作感が向上する。例えば第１の吸液部材４１のみを配置した場合、押しボタン２１ａ，２１ｂの操作感がその左右の端部で異なることになる。しかし本実施形態に係るポータブルコンピュータ５１の構成によると、押しボタン２１ａ，２１ｂの左右の端部が第１または第２の吸液部材４１，５２に支持されている。これにより、押しボタン２１ａ，２１ｂの上壁２２ａの全域で例えばクリック感のような操作感が略均一となり、操作感および操作性が向上する。
【００４７】
さらに、例えば少なくない量の液体をポータブルコンピュータ５１の上にこぼしてしまった場合、その液体は押しボタン２１ａ，２１ｂの突出部２４と筐体内壁６ａａとの間を通じて筐体６内に浸入しようとする。しかし第２の吸液部材５２がこの浸入しようとする液体を吸収するので、押しボタン２１ａ，２１ｂ回りの防滴性がさらに向上する。
【００４８】
なお第２の吸液部材５２は、第１の吸液部材４１と同様に回路基板３２に固定しても良い。ただし本実施形態のように第２の吸液部材５２を押しボタン２１ａ，２１ｂの下面２１ｕに固定することで、第２の吸液部材５２を容易に押しボタン２１ａ，２１ｂの端部に位置合わせ（すなわち位置出し）ができる。
【００４９】
次に、本発明の第３の実施形態に係る電子機器としてのポータブルコンピュータ６１について、図１１を参照して説明する。なお第１および第２の実施形態に係るポータブルコンピュータ１，５１と同じ機能を有する構成は、同一の符号を付してその説明を省略する。
【００５０】
ポータブルコンピュータ６１は、一つの押しボタン２１、回路基板３２、クリックスイッチ３４、および吸液部材４１を備える。  
回路基板３２は、筐体６内に収容されている。クリックスイッチ３４は、回路基板３２に実装されている。押しボタン２１は、筐体６の開口部１３に配置され、クリックスイッチ３４と対向している。押しボタン２１は、ボタン本体２２とアーム部２３とを有する。押しボタン２１は、アーム部２３により筐体６に支持されている。押しボタン２１は、クリックスイッチ３４を向いて変位可能であり、クリックスイッチ３４を操作する。
【００５１】
押しボタン２１と筐体６の開口部１３の開口縁１３ａとの間には隙間ｇが形成されている。吸液部材４１は、隙間ｇの下方において隙間ｇと対向して配置されている。吸液部材４１の一例は、隙間ｇの下方に配置され、例えば隙間ｇの下方を全て覆っている。吸液部材４１の端部は、押しボタン２１の下面２１ｕと回路基板３２の上面３２ａとの間に介在されている。
【００５２】
吸液部材４１は、押しボタン２１が押された時、その変位に伴なって押しボタン２１と回路基板３２との間で伸縮される。さらに本実施形態では吸液部材４１は弾性体であり、押しボタン２１が押された時、押しボタン２１に対して反発力を付与する。
【００５３】
吸液部材４１は、押しボタン２１の下面２１ｕと回路基板３２の上面３２ａとの間の隙間を開口縁１３ａと押しボタン２１との間の隙間ｇから液密に塞いでいる。吸液部材４１の上面は、押しボタン２１の下面２１ｕに常に接触を保ち、押しボタン２１が待機位置にある時も操作位置にある時も含めて常に押しボタン２１と回路基板３２との間の隙間をシールする。
【００５４】
このような構成のポータブルコンピュータ６１によれば、液体が押しボタン２１回りから筐体６内に浸入することが防がれ、押しボタン２１回りの防滴性が向上する。すなわち第１の実施形態と同様の理由で、隙間ｇから筐体６内に浸入しようとする液体は、吸液部材４１に吸収される。
【００５５】
なお、図１１中に２点鎖線で示すように、吸液部材４１と対応する端部とは反対の押しボタン２１の端部の下方に、第２の吸液部材５２を設けても良い。
【００５６】
以上、第１ないし第３の実施形態に係るポータブルコンピュータ１，５１，６１について説明したが、本発明の実施形態はもちろんこれらに限定されない。第１ないし第３の実施形態に係る構成要素は、適宜選択的に組み合わせて適用することができる。
【００５７】
例えば、吸液部材４１は、必ずしも押しボタン２１，２１ａ，２１ｂの下面２１ｕと接している必要はなく、隙間ｇの下方において隙間ｇと対向して配置されていれば良い。吸液部材４１が下面２１ｕと接していなくても、隙間ｇを通った液体はそのまま下方に位置する吸液部材４１に吸収されることになる。吸液部材４１は、必ずしも隙間ｇを覆う必要は無く、隙間ｇの一部に対向して配置されていても良い。
【００５８】
例えば第１または第２の実施形態において、突出部２４を設けることなく、第２の開口部１３の開口縁１３ａと押しボタン２１ａ，２１ｂとの間の隙間の下方に他の吸液部材を設けても良い。
【００５９】
本発明の実施形態が適用可能なボタンは、タッチパッドのスイッチボタンに限らず、例えば電源ボタンやＡＶ機器操作用のボタンを含めた種々の押しボタンに適用可能である。本発明の実施形態は、例えば開口部に単独で配置されるボタンや３個以上のボタンが互いに並んで配置されるボタンにも適用可能である。本発明の実施形態が適用可能なボタン構造は、片持ち梁タイプのボタンに限らず、例えば両持ち梁タイプ（すなわち複数の方向からアーム部で支持されたタイプ）を含む種々のボタンに適用可能である。
【００６０】
本発明の実施形態が適用可能な電子機器はポータブルコンピュータに限らず、例えば携帯電話機、デジタルカメラ、ビデオカメラ、またはパーソナルデジタルアシスタントなど幅広く適用することができる。
【図面の簡単な説明】
【００６１】
【図１】本発明の第１の実施形態に係るポータブルコンピュータの斜視図。
【図２】第１の実施形態に係る本体の一部を分解して示す斜視図。
【図３】第１の実施形態に係る押しボタンの斜視図。
【図４】第１の実施形態に係る押しボタンを筐体内側から見た平面図。
【図５】第１の実施形態に係るタッチパッドユニットおよび吸液部材の斜視図。
【図６】第１の実施形態に係るポータブルコンピュータの平面図。
【図７】図６中に示されたポータブルコンピュータのＦ７−Ｆ７線に沿う断面図。
【図８】本発明の第２の実施形態に係る押しボタンおよび吸液部材を筐体内側から見た平面図。
【図９】第２の実施形態に係るポータブルコンピュータの平面図。
【図１０】図９中に示されたポータブルコンピュータのＦ１０−Ｆ１０線に沿う断面図。
【図１１】本発明の第３の実施形態に係るポータブルコンピュータの断面図。
【符号の説明】
【００６２】
ｇ…隙間、１，５１，６１…ポータブルコンピュータ、６…筐体、６ａａ…筐体内壁、１３…開口部、１３ａ…開口縁、２１ａ，２１ｂ，２１…押しボタン、２４…突出部、３２…回路基板、３４ａ，３４ｂ，３４…クリックスイッチ、４１，５２…吸液部材。
【図１】
2007280886.tif 000003
【図２】
2007280886.tif 000004
【図３】
2007280886.tif 000005
【図４】
2007280886.tif 000006
【図５】
2007280886.tif 000007
【図６】
2007280886.tif 000008
【図７】
2007280886.tif 000009
【図８】
2007280886.tif 000010
【図９】
2007280886.tif 000011
【図１０】
2007280886.tif 000012
【図１１】
2007280886.tif 000013